(57)【要約】【課題】圧縮し又は引くことができ、異なる運動効果が同時に得られるエクスパンダを提供する。【解決手段】両側にシャフトを持つ固定部材を有し、トルクばねにより固定部材に対して旋回できる旋回部材がシャフトに枢接し嵌めてあり、前記二旋回部材が固定部材に係り制限され、また、両側にあるシャフトは旋回部材の外に圧縮ロッドと引きロッドとが別々に嵌めて設けてある。【選択図】図１
0003107049.tif 000002
【実用新案登録請求の範囲】
【請求項１】
主に、一固定部材と、二旋回部材と、二トルクばねと、一圧縮ロッドと、一引きロッドとから構成されるエクスパンダにおいて、
前記固定部材は、二端面の周縁に第一ストヅパーと第二ストッパーとがそれぞれ形成してあり、そして前記二端面の中心には同軸に位置する第一シャフトと第二シャフトとがそれぞれ突出してあり、
前記第一旋回部材は、その中心には前記固定部材の第一シャフトを嵌めて設ける軸孔が形成してあり、その一端面の周縁には前記固定部材と対応するストッパーが突出してあり、前記ストッパーの側面が固定部材の第一ストッパーの側面と当接し、なお、トルクばねが固定部材の第一シャフトを嵌めてあり、且つ前記トルクばねの両端が固定部材と第一旋回部材とにそれぞれ挿入し係止してあり、これにより、第一旋回部材は固定部材に対して自動的に旋回して復帰することができ、
前記圧縮ロッドは、第一旋回部材と一部の固定部材とに嵌めて設ける筒体を有し、前記筒体が第一旋回部材に固定することができ、そして使用者の操作に提供するための圧縮ロッドは、前記筒体に固定し又は筒体と一体に成形され、
前記第二旋回部材は、その中心には前記固定部材の第二シャフトを嵌めて設ける軸孔が形成してあり、その一端面の周縁には前記固定部材と対応するストッパーが突出してあり、前記ストッパーの側面が固定部材の第二ストッパーの側面と当接し、なお、前記ストッパーの端面は丁度対向する固定部材の端面に当接することができ、なお、トルクばねが固定部材の第二シャフトを嵌めてあり、前記トルクばねの両端が固定部材と第二旋回部材とにそれぞれ挿入し係止してあり、これにより、第二旋回部材は固定部材に対して自動的に旋回して復帰することができ、
前記引きロッドは、第二旋回部材と一部の固定部材とに嵌めて設けるマスク形状の筒体を有し、前記筒体が第二旋回部材と相互に連動でき、そして使用者の操作に提供するための引きロッドは、前記筒体に固定し又は筒体と一体に成形され、
そうすると、圧縮し又は引くことができるエクスパンダが構成されることを特徴とする、エクスパンダ。
【請求項２】
前記第二旋回部材の固定部材と反対する側の端面の周縁には、嵌係部材を係止するための噛み溝が形成してあり、前記嵌係部材の中心には第二シャフトを嵌めるための軸孔が開けてあり、前記嵌係部材と第二旋回部材との間には一圧縮ばねが設けてあり、また、嵌係部材と第二旋回部材との間にクラッチ効果を発生するために、前記嵌係部材の端面の周縁には前記噛み溝に対応する歯部が設けてあり、これにより、圧縮ロッドと引きロッドとのなす角度を変更することができ、異なる運動効果を得ることができるようになり、前記嵌係部材のクラッチ作用は、第二シャフトの後段に直径がより小さい挿入段が形成してあり、且っ前記挿入段の端部に枢接孔を持ち相互に対応する削り面が二つに設けてあり、前記削り面の前記嵌係部材から突出する一端には一押し金は枢接し設けてあり、前記押し金の頂端には飯係部材の端面に当接する二ストッパーが形成してあり、前記ストッパーに偏芯枢接孔が形成してあることによるので、枢接ロッドにより前記押し金を第二シャフトの削り面に枢接し設けることにより、固定部材を押して水平に移動させることができ、そして前記第二旋回部材の固定部材と反対する側には、軸孔の周縁に一収容空間が形成してあり、前記嵌係部材は、軸孔の周縁に第二旋回部材の収容空間と対応するための収容空間が形成してあることにより、圧縮ばねを収容することができることを特徴とする、請求項1に記載のエクスパンダ。
【請求項３】
前記固定部材の二側面の周縁には対応する挿入孔が形成してあり、なお、トルクばねを挿入し係止するために、第一、二旋回部材の固定部材と対応する端面には少なくとも一調整孔が形成してあり、且つ異なる調整孔によりトルクばねの圧縮程度を調整することができ、第一シャフトの端部に一螺旋穴が形成してあり、且つ第一シャフトは第一旋回部材の外側に一ワシャが螺着してあることにより、第一旋回部材が第一シャフトの上に位置し、保護ブッシュを嵌めて第一シャフトにあるワシャを保護するために、筒体の中心には直径のより大きい嵌め孔が形成してあり、第一旋回部材の固定部材と反対する側の端面には、前記軸孔を回る締め孔が若干に設けてあり、なお、圧縮ロッドの筒体の閉鎖する端面には第一旋回部材の締め孔と対応する貫通孔が形成してあることにより、筒体が螺合部材により第一旋回部材に締めて固定することができ、引きロッドの筒体の周縁には複数の貫通孔が形成してあり、前記嵌係部材の周縁には前記貫通孔と対応する締め孔が若干に形成してあり、そして圧縮ロッドの筒体の開放する端面の周縁には一凸縁が突出してあり、なお、前記筒体の開放する端面の周縁には、直径のより小さい段階付き凸縁が形成してあることにより、前記段階付き凸縁が圧縮ロッドの筒体の凸縁と相互に嵌めるので、異物がその内部に侵入することを防止できることを特徴とする、請求項1に記載のエクスパンダ。
【考案の詳細な説明】
【技術分野】
【０００１】
本考案はヘルス器材に係り、特に圧縮し又は引くことができるエクスパンダに関するものである。
【背景技術】
【０００２】
一般の携帯可能な小型ヘルス器材は、空間および構造の制限で単一の運動を行うことだけができ、異なる運動を行う場合には、別のヘルス器材を使用することが必要なので、その使用が極めて不便であり、運動効果が低下になると共に、お金もかなり掛かる。
【考案の開示】
【考案が解決しようとする課題】
【０００３】
本考案の主な目的は、圧縮し又は引くことができ、異なる運動効果が同時に得られるエクスパンダを提供する。
【課題を解決するための手段】
【０００４】
上記目的を達成するためになされた本願の考案は、主に、一固定部材と、二旋回部材と、二トルクばねと、一圧縮ロッドと、一引きロッドとから構成されるエクスパンダにおいて、前記固定部材は、二端面の周縁に第一ストッパーと第二ストッパーとがそれぞれ形成してあり、そして前記二端面の中心には同軸に位置する第一シャフトと第二シャフトとがそれぞれ突出してあり、前記第一旋回部材は、その中心には前記固定部材の第一シャフトを嵌めて設ける軸孔が形成してあり、その一端面の周縁には前記固定部材と対応するストッパーが突出してあり、前記ストッパーの側面が固定部材の第一ストッパーの側面と当接し、なお、トルクばねが固定部材の第一シャフトを嵌めてあり、且つ前記トルクばねの両端が固定部材と第一旋回部材とにそれぞれ挿入し係止してあり、これにより、第一旋回部材は固定部材に対して白動的に旋回して復帰することができ、前記圧縮ロッドは、第一旋回部材と一部の固定部材とに嵌めて設ける筒体を有し、前記筒体が第一旋回部材に固定することができ、そして使用者の操作に提供するための圧縮ロッドは、前記筒体に固定し又は筒体と一体に成形され、前記第二旋回部材は、その中心には前記固定部材の第二シャフトを嵌めて設ける軸孔が形成してあり、その一端面の周縁には前記固定部材と対応するストッパーが突出してあり、前記ストッパーの側面が固定部材の第二ストッパーの側面と当接し、なお、前記ストッパーの端面は丁度対向する固定部材の端面に当接することができ、なお、トルクばねが固定部材の第二シャフトを嵌めてあり、前記トルクばねの両端が固定部材と第二旋回部材とにそれぞれ挿入し係止してあり、これにより、第二旋回部材は固定部材に対して自動的に旋回して復帰することができ、前記引きロッドは、第二旋回部材と一部の固定部材とに嵌めて設けるマスク形状の筒体を有し、前記筒体が第二旋回部材と相互に連動でき、そして使用者の操作に提供するための引きロッドは、前記筒体に固定し又は筒体と一体に成形され、そうすると、圧縮し又は引くことができるエクスパンダが構成されることを特徴とするエクスパンダであることを要旨としている。
【考案の効果】
【０００５】
本考案に係るエクスパンダによれば、圧縮し又は引くことができ、異なる運動効果が同時に得られる。
【考案を実施するための最良の形態】
【０００６】
以下、添付図面を参照して本考案の好適な実施の形態を詳細に説明する。
【０００７】
まず、図1乃至図4を参照する。本考案に係るエクスパンダは、トルクばね26,47を挿入し係止するために、固定部材10の二側面の周縁には対応する挿入孔11,12が形成してあり、また、固定部材10の二端面の挿入孔11,12から遠ざかる周縁に第一ストッパー13と第二ストッパー14とがそれぞれ形成してあり、そして固定部材10の前記二端面の中心には同軸に位置する第一シャフト15と第二シャフト17とがそれぞれ突出してあり、第一シャフト15の端部に一螺旋穴16が形成してあり、第二シャフト17の後段には直径のより小さい挿入段18が形成してあり、且つ第二シャフト17の挿入段18の端部には対向する二削り面19が形成してあり、挿入段18の二削り面19の間には枢接孔190が形成してあり、
【０００８】
第一旋回部材20は、その中心には前記固定部材10の第一シャフト15を嵌めて設ける軸孔21が形成してあり、第一旋回部材20の固定部材10と反対する側の端面には、前記軸孔21を回る締め孔22が若干に設けてあり、第一旋回部材20の固定部材10と対応する端面には、トルクばね26を挿入し係止するために、少なくとも一調整孔23が形成してあり、且つ異なる調整孔23によりトルクばね26の圧縮程度を調整することができ、また、第一旋回部材20の一端面の周縁には前記固定部材10と対応するストッパー25が突出してあり、前記ストッパー25の側面が固定部材10の第一ストッパー13の側面と当接し(図2と図7Aに示すように)、なお、トルクばね26が固定部材10の第一シャフト15を嵌めてあり、且つ前記トルクばね26の両端に湾折した挿入段260,261が固定部材10の挿入孔11と、第一旋回部材20の調整孔23とにそれぞれ挿入し係止してあり、これにより、第一旋回部材20は固定部材10に対して自動的に旋回して復帰することができ、且つ第一シャフト15は第一旋回部材20の外側に一ワシャが螺着してあることにより、第一旋回部材20が第一シャフト15の上に位置し制限される。
【０００９】
第一旋回部材20を嵌め設ける圧縮ロッド30はマスク状の筒体31を有し(第一旋回部材20が圧縮ロッド30の筒体31内に一体成形されてもいい)、前記筒体31が第一旋回部材20と一部の固定部材10とを嵌め、なお、筒体31の中心には直径のより大きい嵌め孔32が形成してあり、筒体31の閉鎖する端面には第一旋回部材20の締め孔22と対応する貫通孔33が形成してあることにより、図4に示すように、螺合部材によって、それらを締めて固定することができ、筒体31の開放する端面の周縁には一凸縁34が突出してあり、また、使用者の操作に提供するための押しロッド35が筒体31に固定し又は一体成形してあり、第一シャフト15にあるワシャを保護するために、筒体31の嵌め孔32に一保護ブッシュ38が嵌係してある。
【００１０】
また、第二旋回部材40は、その中心には前記固定部材10の第二シャフト17を嵌めて設ける軸孔41が形成してあり、第二旋回部材40は軸孔41の周縁に固定部材10と対応する凸縁42が突出してあり、第二旋回部材40の固定部材10と反対する側の端面には、前記軸孔41の周縁に一収容空間43が形成してあり、また、第二旋回部材40の一端面の周縁には前記固定部材10と対応するストッパー44が突出してあり、前記ストッパー44の側面が固定部材10の第二ストッパー14の側面と当接し(図2と図9Aに示すように)、なお、前記ストッパー44の端面が丁度対向する固定部材10の端面に当接し、第二旋回部材40の固定部材10と対応する端面には、トルクばね47を挿入し係止するために、少なくとも一調整孔45が形成してあり、且つ異なる調整孔45によりトルクばね47の圧縮程度を調整することができ、トルクばね47が固定部材10の第二シャフト17を嵌めてあり、且つ前記トルクばね47の両端に湾折した挿入段470,471が固定部材10の挿入孔12と、第二旋回部材40の調整孔45とにそれぞれ挿入し係止してあり、これにより、第二旋回部材40は固定部材10に対して自動的に旋回して復帰することができ、且つ第二旋回部材40の固定部材10の反対側の端面には、猷係部材50を係止するための噛み溝46が形成してある。
【００１１】
前記嵌係部材50の中心には第二シャフト17の挿入段18を嵌めるための軸孔51が開けてあり、前記嵌係部材50は軸孔51の周縁に第二旋回部材40の収容空間43と対応する収容空間52が形成してあり、これにより、圧縮ばね55を共同に収容することができ、前記嵌係部材50の端面の周縁には前記噛み溝46に対応する歯部53が設けてあり、これにより、嵌係部材50と第二旋回部材との間にクラッチ作用が発生され、且つ引きロッド60と締めてロックするために、嵌係部材50の周縁に若干の締め孔54が形成してある。
【００１２】
第二旋回部材40を嵌め設ける引きロッド60はマスク状の筒体61を有し、前記筒体61が第二旋回部材40と一部の固定部材10とを嵌め、なお、筒体61の中心には嵌係部材50を嵌設するための嵌め孔62が形成してあり、また、筒体61の周縁には嵌係部材50の締め孔54と対応する貫通孔63が形成してあり、図4に示すように、螺合部材によって、それらを締めて固定することができ(嵌係部材が引きロッドの内部に一体成形されてもいい)、且つ筒体61の開放する端の周縁には直径のより小さい段階付き凸縁64が形成してあり、段階付き凸縁64が圧縮ロヅド30の筒体31の凸縁34と相互に嵌めるので、異物がその内部に侵入することを防止でき、そして使用者の操作に提供するためのレバー65は、前記筒体61に固定し又は筒体と一体に成形された。
【００１３】
また、固定部材10の第二シャフト17の削り面19に嵌係部材50が貫通して突出することができ、且つ一押し金70が枢接し設けてあり、前記押し金70の頂端には嵌係部材50の端面に当接する二ストッパー71が形成してあり、前記ストッパー71に偏芯枢接孔72が形成してあるので、枢接ロッド73により前記押し金70を第二シャフト17の削り面19に枢接し設けることにより、図5に示すように、固定部材10を押して水平に移動させることができる。
【００１４】
使用者は手部又は脚部によって圧縮運動しようとする場合には、その実際の動作は、図2、図4、図6と図7に示すように、まず、引きロッド60を制限して固定し、引きロッド60と嵌係部材50とが互いに締めてロックし、なお、嵌係部材50が第二旋回部材40と係り固定し、且つ第二旋回部材40がストッパー44により固定部材10の第二ストッパー14を当接し止めるので、固定部材10が固定状態になり、そうすると、使用者は圧縮ロッド30を内側へ押すことができる。圧縮ロッド30が第一旋回部材20に締めてロックされ、なお、第一旋回部材20のストッパー25が固定部材10の第一ストッパー13の旋回方向と逆に旋回できるので(図7Aに示すように)、圧縮運動効果を達成することができる。使用者は力を加えない場合には、圧縮ロッド30はトルクばね26の弾力を受けて自動的に復帰し、第一旋回部材20のストッパー25が固定部材10の第一ストッパー13に当接し止められる位置まで復帰し、次の循環の動作に用意する。
【００１５】
使用者は手部又は脚部によって引き運動しようとする場合には、その実際の動作は、図2、図4、図8と図9に示すように、まず、圧縮ロッド30を制限して固定し、圧縮ロッド30が第一旋回部材20と係り固定し、且つ第一旋回部材20がストッパー25により固定部材10の第一ストッパー13を当接し止めるので、固定部材10が固定状態になり、そうすると、使用者は引きロッド60を外側へ引くことができる。引きロッド60が嵌係部材50と締めてロックし、嵌係部材50が第二旋回部材40と嵌めて固定し、なお、第二旋回部材40のストッパー44が固定部材10の第二ストッパー14の旋回方向と逆に旋回できるので(図9Aに示すように)、引き運動効果を達成することができる。使用者は力を加えない場合には、引きロッド60はトルクばね47の弾力を受けて自動的に復帰し、第二旋回部材40のストッパー44が固定部材10の第二ストッパー14に当接し止められる位置まで復帰し、次の循環の動作に用意する。
【００１６】
また、使用者は圧縮ロッド30と引きロッド60とがなす角度を調整して運動の力を変更しようとする場合には、図4と図5に示すように、押し金70を上へ引き、そうすると、押し金70は止め金71のより広い周縁からより狭い位置まで移動され、固定部材10の制限作用がなくなるので、圧縮ばね55が外側へ張って、第二旋回部材40と固定部材10とを押して水平に移動させることにより、噛み溝46が嵌係部材50の歯部53から離脱し、そうすると、使用者は圧縮ロッド30と引きロッド60とのなす角度を直接に調整でき、位置を確認した後に、押し金70を下へ押すと、固定部材10を元の位置に引くことができ、固定部材10により第二旋回部材30の噛み溝46を押して嵌係部材50の歯部53と再び係合することにより、圧縮ロッド30と引きロッド60とのなす角度を変更することができる。
【図面の簡単な説明】
【００１７】
【図１】本考案に係る各部材の構成を説明するための分解斜視図である。
【図２】本考案に圧縮ロッドと引きロッドとを組合った状態を示す概略図である。
【図３】本考案の斜視図である。
【図４】本考案の断面概略図である。
【図５】本考案の動作を示すための一部の拡大断面図である。
【図６】本考案を圧縮させる動作を示す概略図である。
【図７】図6の一部の拡大図である。
【図７Ａ】図6の一部の概略図である。
【図８】本考案を引かせる動作を示す概略図である。
【図９】図8の一部の拡大図である。
【図９Ａ】図8の一部の概略図である。
【符号の説明】
【００１８】
10  固定部材                       
11,12  挿入孔
13  第一ストッパー                  14  第二ストッパー
15  第一シャフト                    16  螺旋穴
17  第二シャフト                    18  挿入段
19  削り面                          20  第一旋回部材
21  軸孔                            22  締め孔
23  調整孔                          25  ストッパー
26  トルクばね                      30  圧縮ロッド
31  筒体                            32  嵌め孔
33  貫通孔                          34  凸縁
35  押しロッド                      38  保護ブッシュ
40  第二旋回部材                    41  軸孔
42  凸縁                            43  収容空間
44  ストッパー                      45  調整孔
46  噛み溝                          47  トルクばね
50  嵌係部材                        51  軸孔
52  収容空間                        53  歯部
54  締め孔                          55  圧縮ばね
60  引きロッド                      61  筒体
62  嵌め孔                          63  貫通孔
64  段階付き凸縁                    65  レバー
70  押し金                          71  止め金
72  偏芯枢接孔                      73  枢接ロッド
190  枢接孔
260,
261  挿入段
470,
471  挿入段
【図１】
0003107049.tif 000003
【図２】
0003107049.tif 000004
【図３】
0003107049.tif 000005
【図４】
0003107049.tif 000006
【図５】
0003107049.tif 000007
【図６】
0003107049.tif 000008
【図７】
0003107049.tif 000009
【図７Ａ】
0003107049.tif 000010
【図８】
0003107049.tif 000011
【図９】
0003107049.tif 000012
【図９Ａ】
0003107049.tif 000013